(57)【要約】【課題】本発明は金額振込方法及び金額振込プログラムに関し、利用者への経済的負担を軽減すると共に、銀行側にとっても利益となる金額振込方法及び金額振込プログラムを提供することを目的としている。【解決手段】振込みが選択され、振込み先と振込み金額が入力されると（ステップ１）、振込み先が同一の銀行の本支店であるかどうかチェックし（ステップ２）、振込み先が同一の銀行の本支店である場合には、振込み金額が所定の金額以上であるかどうかチェックし（ステップ３）、振込み金額が所定の金額以上である場合には、複数回の振込みが１回の振込みよりも有利であることを表示する（ステップ４）ように構成する。【選択図】      図１
2004362351.tif 000002
【特許請求の範囲】
【請求項１】
振込みが選択され、振込み先と振込み金額が入力されると（ステップ１）、
振込み先が同一の銀行の本支店であるかどうかチェックし（ステップ２）、
振込み先が同一の銀行の本支店である場合には、振込み金額が所定の金額以上であるかどうかチェックし（ステップ３）、
振込み金額が所定の金額以上である場合には、複数回の振込みが１回の振込みよりも有利であることを表示する（ステップ４）
ことを特徴とする金額振込方法。
【請求項２】
振込みが選択され、振込み先と振込み金額が入力されるステップと、
振込み先が同一の銀行の本支店であるかどうかチェックするステップと、
振込み先が同一の銀行の本支店である場合には、振込み金額が所定の金額以上であるかどうかチェックするステップと、
振込み金額が所定の金額以上である場合には、複数回の振込みが１回の振込みよりも有利であることを表示するステップと、
をコンピュータで実行することを特徴とする金額振込プログラム。
【請求項３】
振込み金額が複数回に分けて振り込んだ方が有利な金額の場合、複数回に分けて振り込むことをガイダンス表示し、訂正後の振込み金額が正当かどうかチェックすることを特徴とする請求項１記載の金額振込方法。
【発明の詳細な説明】
【０００１】
【発明の属する技術分野】
本発明は金額振込み方法及び金額振込みプログラムに関し、更に詳しくはＡＴＭ端末（現金自動預け払い機）を利用して金額を振り込む際の金額振込み方法及び金額振込みプログラムに関する。
【０００２】
【従来の技術】
現在、ある銀行（銀行Ａとする）において、ＡＴＭ端末を利用して同一銀行の本支店宛てへ振込みを行なう場合の手数料は、カード振込み、現金振込みの種別にかかわらず３万円未満は１０５円、３万円以上は３１５円となっている。図１４は銀行の手数料一覧を示す図である。銀行Ａの場合と、銀行Ｂの場合とが示されている。
【０００３】
例えば、利用者が現金振込み、カード振込みのどちらかを利用して４万円を振り込む場合、手数料は３１５円となるが、これを現金振込み、カード振込みのどちらかを利用して２万円ずつ２回に分けて振り込むと、手数料は１０５円×２＝２１０円となり、一度に振り込んだ場合の手数料３１５円よりも１０５円お得となる。
【０００４】
利用者は、このような料金体系を熟知していないので、上記のような方法で振込みを行なうと、お得であることを知らないため、手数料軽減の機会を失っている。
【０００５】
また、ある銀行（銀行Ｂとする）では、ＡＴＭを利用して同一銀行の本支店宛てへ振込みを行なう場合の手数料は、３万円以上の場合は、カード振込みでは２１０円、現金振込みでは３１０円となっており、３万円未満の場合はカード振込み、現金振込み共に１０５円となっている。
【０００６】
このような料金体系の銀行では、現金振込みで４万円を同一銀行本支店へ振り込む場合は、上記の方法で２回に分けて振り込むと、２１０円（手数料１０５円×２）−１０円（消費税）＝２００円はそのまま銀行の利益となるが、現金振込みで４万円を同一銀行本支店宛てに一度で振り込むと、３万円以上の現金振込みの場合は、銀行側は３万円以上の現金の授受があったことを示す領収書をＡＴＭ端末で発行するため、印紙税法上、２００円を印紙税として収めなくてはならず、この場合、３１５円−１５円（消費税）−２００円（印紙税）＝１００円のみが銀行の利益となる。
【０００７】
銀行は、利用者が現金振込みで同一銀行の本支店宛てへ４万円を一度に振り込んでしまうと、利用者が２回に分けて振り込んだ場合に比べて２００円（２回に分けて振り込んだ場合の利益）−１００円（一度で振り込んだ場合の利益）＝１００円損をすることになる。このため、利用者、銀行双方が余計な負担をすることになる。
【０００８】
この種のＡＴＭ端末に関する技術は、出願人が初めて気づいた事項であるので、先行する類似の特許文献はない。
【０００９】
【発明が解決しようとする課題】
前述したように、振り込む金額が３万円以上の場合に、２回に分けて振り込んだ方が利用者、銀行共に有利となるが、利用者がこのような詳細な事実を知らないため、今まで見過ごされていたものである。
【００１０】
本発明はこのような課題に鑑みてなされたものであって、利用者への経済的負担を軽減すると共に、銀行側にとっても利益となる金額振込方法及び金額振込プログラムを提供することを目的としている。
【００１１】
【課題を解決するための手段】
（１）請求項１記載の発明は、以下の通りである。図１は本発明方法の原理を示すフローチャートである。本発明は、振込みが選択され、振込み先と振込み金額が入力されると（ステップ１）、振込み先が同一の銀行の本支店であるかどうかチェックし（ステップ２）、振込み先が同一の銀行の本支店である場合には、振込み金額が所定の金額以上であるかどうかチェックし（ステップ３）、振込み金額が所定の金額以上である場合には、複数回の振込みが１回の振込みよりも有利であることを表示する（ステップ４）ことを特徴とする。そして、振込みを実行する（ステップ５）。
【００１２】
このように構成すれば、利用者の経済的負担を軽減することができ、銀行側にとっても利益となる。
（２）請求項２記載の発明は、振込みが選択され、振込み先と振込み金額が入力されるステップと、振込み先が同一の銀行の本支店であるかどうかチェックするステップと、振込み先が同一の銀行の本支店である場合には、振込み金額が所定の金額以上であるかどうかチェックするステップと、振込み金額が所定の金額以上である場合には、複数回の振込みが１回の振込みよりも有利であることを表示するステップと、をコンピュータで実行することを特徴とする。
【００１３】
このように構成すれば、利用者の経済的負担を軽減することができ、銀行側にとっても利益となるプログラムを提供することができる。
（３）請求項３記載の発明は、振込み金額が複数回に分けて振り込んだ方が有利な金額の場合、複数回に分けて振り込むことをガイダンス表示し、訂正後の振込み金額が正当かどうかチェックすることを特徴とする。
【００１４】
このように構成すれば、複数回に分けて振り込む時の振込み金額が正当かどうかをチェックすることができる。
【００１５】
また、この発明において、振込み金額が複数回に分けて振り込んだ方が有利な金額の場合、複数回に分けて振り込むことをガイダンス表示すると同時に、お勧めの振込み方法を表示することを特徴とする。
【００１６】
このように構成すれば、利用者はガイダンスに表示された内容に従って振込み手続きを行なうことができ、操作性がよくなる。
【００１７】
また、この発明において、振込み金額が複数回に分けて振り込んだ方が有利な金額の場合、複数回に分けて振り込むことをガイダンス表示すると同時に、お勧めの振込み方法を表示し、お勧めの振込み方法で振り込むことを選択した場合には、その振込み方法で自動的に金額が決定され、振込みが行なわれることを特徴とする。
【００１８】
このように構成すれば、振込み金額を自動的に決定して振込みを行なうことが可能となる。
【００１９】
また、この発明において、現金振込みでかつ金額が複数回に分けて振り込んだ方が有利な金額なら、複数回に分けて振り込むことをガイダンス表示すると同時に、お勧めの振込み方法を表示し、お勧めの振込み方法で振り込むことを選択した場合には、その振込み方法で自動的に金額が決定され、振込みが行なわれることを特徴とする。
【００２０】
このように構成すれば、現金振込みの場合にも振込み金額を自動的に決定して振込みを行なうことが可能となる。
【００２１】
【発明の実施の形態】
以下、図面を参照して本発明の実施の形態例を詳細に説明する。
【００２２】
図２は本発明方法を実施するハードウェア構成例を示すブロック図である。図において、２０は装置全体の動作を制御するＣＰＵで、バス１を介して各種の構成要素が接続されている。１０は本発明に係る振込み制御を行なう振込み処理部である。該振込み処理部１０において、１１は指定された振込み先が２回に分けて振り込むと有利になる振込先であるかどうかを判断する宛先判断部、１２は振込み金額を判断する振込み金額判断部、１３はＡＴＭ端末の利用者に対してお得な振込み方法を示す画面を表示する顧客誘導部、１４はガイダンス画面で「訂正」か「続行」のどのボタンを押したかを判断する顧客選択判断部、１５は振込み方法を変更する振込み方法変更部、１６は振込みを実施する振込み実施部である。
【００２３】
２１はカードリーダ、２２は該カードリーダ２１を制御するカードリーダ制御部、２３は通帳プリンタ、２４は該通帳プリンタ２３を制御する通帳プリンタ制御部、２５は現金の投入と排出を行なう現金投入排出口、２６は紙幣を判別して計数する鑑別計数部、２７はお金を保管する金庫である。２８はこれら現金投入排出口２５、鑑別計数部２６及び金庫２７を制御する入出金制御部である。
【００２４】
２９は顧客操作画面、３０はタッチパネル、３１はこれら顧客操作画面２９及びタッチパネル３０を制御する操作制御部、３２は各種情報を記憶する記憶部、３３はレシート発行プリンタ、３４は該レシート発行プリンタ３３の動作を制御するレシート発行部である。このように構成されたシステムを用いて本発明の動作を説明すれば、以下の通りである。
【００２５】
図３は本発明の第１の動作の一例を示すフローチャートである。先ず、ＡＴＭ端末の顧客操作画面２９には、メニューモードが表示されている。このメニューモードから利用者がタッチパネル３０の「振込み」ボタンをタッチして「振込み」を選択する（Ｓ１）。次に、利用者はキャッシュカードを挿入し、暗証番号をタッチパネル３０から入力する（Ｓ２）。ここで、キャッシュカードはカードリーダ２１によりその内容が読み込まれる。このキャッシュカードの読み込みは、利用者の氏名及び口座番号を確認するために用いられる。
【００２６】
次に、利用者はタッチパネル３０から振込み先情報を入力する（Ｓ３）。ここで、振込み先情報とは、振込み先の銀行の指定の口座番号と、口座の種類、振込み先名称である。例えば、「△△株式会社、普通、口座番号０１５２６９８」という具合である。次に、利用者は振込み金額をタッチパネル３０から入力する（Ｓ４）。
【００２７】
次に、宛先判断部１１は、振込み先が同一銀行の本支店であるかどうかをチェックする（Ｓ５）。振込み先が同一銀行の本支店であった場合、ＣＰＵ２０は振込み金額が３万円以上５９９９９円未満であるかどうかチェックする（Ｓ６）。そうであった場合、顧客誘導部１３は顧客操作画面２９に「お客様のお振込み金額は、ＸＸＸＸＸ円です。３万円以上の振り込み手数料は３１５円です。振込み金額が３万円以上５９９９９円未満の場合は、１回のお振り込み金額を３万円未満とし、２回に分けて振込みますと、手数料の合計が２１０円となります」とのガイダンスを表示する（Ｓ７）。ここで、振込み金額が５９９９９円未満となっているのは、振込み金額が６万円を超えると１回の振込み金額が３万円を超えてしまうためである。
【００２８】
図４は本発明の第１のガイダンス画面例を示す図である。前述した文章が記載されており、更に「お振込み金額を訂正する場合には［訂正］を押してください。」、「お振込み金額を訂正されない場合には、［続行］を押してください」というメッセージが表示される。画面には、訂正ボタン４０と続行ボタン４１が表示されている。この場合、訂正することをお勧めしているので、訂正ボタン４０を強調表示する。
【００２９】
顧客選択判断部１４は訂正ボタン４０が押されたかどうかをチェックする（Ｓ８）。訂正ボタン４０が押された場合には、振込み方法変更部１５は顧客操作画面２９に金額訂正画面を表示し、金額を入力する（Ｓ９）。次に、振込み実施部１６はステップＳ７で案内された内容に従い、２回の振込みを実行する（Ｓ１０）。この時、指定の口座から振込み金額と手数料が自動引き落としされる。
【００３０】
なお、ステップＳ５で振込み先が同一銀行の本支店でなかった場合、及びステップＳ６で振込み金額が３万円以上５９９９９円未満でなかった場合及びステップＳ８で訂正ボタン４０が押下されなかった場合には、ステップＳ１０にスキップし、通常の振込み取引を実行する（Ｓ１０）。振込みが終了したら、ＣＰＵ２０はレシート発行部３４を起動して伝票印字を発行する（Ｓ１１）。
【００３１】
このように、本発明によれば、利用者の経済的負担を軽減することができ、銀行側にとっても利益となる。また、振込み金額が２回に分けて振り込んだ方が有利な金額の場合、２回に分けて振り込むことをガイダンス表示し、訂正後の振込み金額が正当かどうかチェックすることで、２回に分けて振り込む時の振込み金額が正当かどうかをチェックすることができる。
【００３２】
図５，図６は本発明の第２の動作の一例を示すフローチャートである。先ず、ＡＴＭ端末の顧客操作画面２９には、メニューモードが表示されている。このメニューモードから利用者がタッチパネル３０の「振込み」ボタンをタッチして「振込み」を選択する（Ｓ１）。次に、利用者はキャッシュカードを挿入し、暗証番号をタッチパネル３０から入力する（Ｓ２）。ここで、キャッシュカードはカードリーダ２１によりその内容が読み込まれる。このキャッシュカードの読み込みは、利用者の氏名及び口座番号を確認するために用いられる。
【００３３】
次に、利用者はタッチパネル３０から振込み先情報を入力する（Ｓ３）。ここで、振込み先情報とは、振込み先の銀行の指定の口座番号と、口座の種類、振込み先名称である。例えば、「△△株式会社、普通、口座番号０１５２６９８」という具合である。次に、利用者は振込み金額をタッチパネル３０から入力する（Ｓ４）。
【００３４】
宛先判断部１１は、振込み先が同一銀行の本支店であるかどうかをチェックする（Ｓ５）。振込み先が同一銀行の本支店であった場合、ＣＰＵ２０は振込み金額が３万円以上５９９９９円未満であるかどうかチェックする（Ｓ６）。そうであった場合、顧客誘導部１３は顧客操作画面２９に「お客様のお振込み金額は、ＸＸＸＸＸ円です。３万円以上の振り込み手数料は３１５円です。振込み金額が３万円以上５９９９９円未満の場合は、１回のお振り込み金額を３万円未満とし、２回に分けて振込みますと、手数料の合計が２１０円となります」とのガイダンスを表示する（Ｓ７）。
【００３５】
この時、図４に示す操作画面には、前述した文章が記載れさており、更に「お振込み金額を訂正する場合には［訂正］を押してください。」、「お振込み金額を訂正されない場合には、［続行］を押してください」というメッセージが表示される。
【００３６】
顧客選択判断部１４は訂正ボタン４０が押されたかどうかをチェックする（Ｓ８）。訂正ボタン４０が押された場合には、振込み方法変更部１５は顧客操作画面２９に金額訂正画面を表示し、金額を入力する（Ｓ９）。次に、ＣＰＵ２０は最初に入力された金額から、２９９９９円を引いた金額が２９９９９円以下であるかどうかチェックする（Ｓ１０）。このチェックは、振込み金額の合計が３万円以上５９９９９円未満であることを確認するためのものである。振込み金額の合計が３万円以上５９９９９円未満である場合には、訂正モードで訂正された１回目の入金額が３万円を超えない額に設定されているはずである。従って、この場合にはステップＳ１０に示す条件を満足するので、ステップＳ１１に進む。ステップＳ１０に示す条件を満足しない場合には、ステップＳ７に戻りガイダンス表示を行なう（Ｓ７）。
【００３７】
ステップＳ１０の条件を満足している場合には、振込み実施部１６は１回目の振込み取引を実行する（Ｓ１１）。この時、指定の口座から振込み金額及び手数料が自動引き落としされる。なお、ステップＳ５において振込み先が同一銀行の本支店でなかった場合、ステップＳ６で振込み金額が３万円以上５９９９９円未満でなかった場合及びステップＳ８で訂正ボタンが押されなかった場合にも、それぞれの条件における振込み取引が実行される（Ｓ１１）。
【００３８】
次に、ＣＰＵ２０は最初に入力された金額が、３万円以上５９９９９円未満かつ訂正ボタンが押下済みであるかどうかをチェックする（Ｓ１２）。そうである場合には、１回目の振込みは終了しているので、ステップＳ４に戻り、２回目の振込み金額の入力からやりなおす。この場合には、ステップＳ４→Ｓ５→Ｓ６と進み、ステップＳ６からＳ１１にスキップし、振込み実施部１６で振込みを実行する。そして、２回目の振込みの場合にはステップＳ１２をスルーで抜けて伝票印字発行を行ない（Ｓ１３）、振込み手続きを終了する。
【００３９】
このようにすれば、２回に分けて振り込む時の振込み金額が正当かどうかをチェックすることができ、結果として利用者の経済的負担を軽減することができる。
【００４０】
図７は本発明の第３の動作の一例を示すフローチャートである。先ず、ＡＴＭ端末の顧客操作画面２９には、メニューモードが表示されている。このメニューモードから利用者がタッチパネル３０の「振込み」ボタンをタッチして「振込み」を選択する（Ｓ１）。次に、利用者はキャッシュカードを挿入し、暗証番号をタッチパネル３０から入力する（Ｓ２）。ここで、キャッシュカードはカードリーダ２１によりその内容が読み込まれる。このキャッシュカードの読み込みは、利用者の氏名及び口座番号を確認するために用いられる。
【００４１】
次に、利用者はタッチパネル３０から振込み先情報を入力する（Ｓ４）。宛先判断部１１は、振込み先が同一銀行の本支店であるかどうかをチェックする（Ｓ５）。振込み先が同一銀行の本支店であった場合、ＣＰＵ２０は振込み金額が３万円以上５９９９９円未満であるかどうかチェックする（Ｓ６）。
【００４２】
振込み金額が３万円以上５９９９９円未満であった場合には、ＣＰＵ２０は、お勧め入金パターンを計算する（Ｓ７）。具体的には、入金金額が５８０００円以下なら入金金額を２で割り、１００円単位の端数を切り上げる。そして、入金金額から前記の値を引く。次に、顧客誘導部１３は顧客操作画面２９に「お客様のお振込み金額は、ＸＸＸＸＸ円です。３万円以上のお振込み手数料は３１５円となります。振込み金額が３万円以上５９９９９円未満の場合は、１回のお振り込み金額を３万円未満とし、２回に分けて振込みすると、手数料の合計が２１０円となります」とのガイダンスを表示すると共に、前記ステップＳ７で計算したお勧め入金パターンを顧客操作画面２９に表示する（Ｓ８）。
【００４３】
図８は本発明の第２のガイダンス画面例を示す図である。ＣＰＵ２０で計算したお勧めパターンが１回目ＸＸＸＸＸ円、２回目ＹＹＹＹＹ円と表示されている。顧客選択判断部１４は訂正ボタン４０が押されたかどうかをチェックする（Ｓ９）。訂正ボタン４０が押された場合、振込み方法変更部１５は金額訂正画面を表示し、金額が入力される（Ｓ１０）。この結果、振込み実施部１６は２回の振込みを実施する（Ｓ１１）。具体的には、１回目にＸＸＸＸＸ円を振込み、２回目にＹＹＹＹＹ円を振り込む。この時、振込み金額と手数料が指定口座から自動引き落としされる。
【００４４】
なお、ステップＳ５において振込み先が同一銀行の本支店でなかった場合、ステップＳ６において振込み金額が３万円以上５９９９９円未満でなかった場合、及びステップＳ９で訂正ボタン４０が押されなかった場合には、通常の振込み動作を行なう（Ｓ１１）。振込みが終了すると、レシート発行プリンタ３３は振込み伝票を発行する（Ｓ１２）。
【００４５】
この実施の形態例によれば、利用者はガイダンスに表示された内容に従って振込み手続きを行なうことができ、操作性がよくなる。
【００４６】
図９，図１０は本発明の第４の動作の一例を示すフローチャートである。先ず、ＡＴＭ端末の顧客操作画面２９には、メニューモードが表示されている。このメニューモードから利用者がタッチパネル３０の「振込み」ボタンをタッチして「振込み」を選択する（Ｓ１）。次に、利用者はキャッシュカードを挿入し、暗証番号をタッチパネル３０から入力する（Ｓ２）。ここで、キャッシュカードはカードリーダ２１によりその内容が読み込まれる。このキャッシュカードの読み込みは、利用者の氏名及び口座番号を確認するために用いられる。
【００４７】
次に、利用者はタッチパネル３０から振込み先情報を入力する（Ｓ３）。次に、利用者はタッチパネル３０から振込み金額を入力する（Ｓ４）。この場合において、既にお勧めパターンを選択しているときは、もう一方のパターンを表示し確認させる。宛先判断部１１は、振込み先が同一銀行の本支店であるかどうかをチェックする（Ｓ５）。振込み先が同一銀行の本支店であった場合、ＣＰＵ２０は振込み金額が３万円以上５９９９９円未満であるかどうかチェックする（Ｓ６）。
【００４８】
振込み金額が３万円以上５９９９９円未満であった場合には、ＣＰＵ２０は、お勧め入金パターンを計算する（Ｓ７）。具体的には、入金金額が５８０００円以下なら入金金額を２で割り、１００円単位の端数を切り上げる。そして、入金金額から前記の値を引く。このようにして、振込み金額が自動的に決定される。次に、顧客誘導部１３は顧客操作画面２９に「お客様のお振込み金額は、ＸＸＸＸＸ円です。３万円以上の振り込み手数料が３１５円となります。振込み金額が３万円以上５９９９９円未満の場合は、１回のお振り込み金額を３万円未満とし、２回に分けて振込みすると、手数料の合計が２１０円となります」とのガイダンスを表示すると共に、前記ステップＳ７で計算したお勧め入金パターンを顧客操作画面２９に表示する（Ｓ８）。
【００４９】
図１１は本発明の第３のガイダンス画面例を示す図である。ステップＳ８で示した表示に加えて、お勧め入金パターンが示される。お勧め入金パターンは、１回目がＸＸＸＸＸ円、２回目がＹＹＹＹＹ円である。このお勧め入金パターンの横に選択ボタン４２が示されている。その下に「お勧め入金パターンに金額を訂正される場合は［選択］を押してください。」という表示がなされる。
【００５０】
次に、顧客選択判断部１４は訂正ボタン４０が押されたかどうかをチェックする（Ｓ９）。訂正ボタン４０が押された場合、振込み方法変更部１５は金額訂正画面を表示し、金額を入力し、その金額を保持する（Ｓ１０）。振込み実施部１６は、振込み取引を実行する（Ｓ１１）。この時、振込み金額と手数料が指定の口座から自動引き落としされる。
【００５１】
ステップＳ９において、訂正ボタン４０が押されない場合、顧客選択判断部１４はお勧め入金パターンが選択されたかどうかをチェックする（Ｓ１２）。お勧め入金パターンが選択された場合には、ＣＰＵ２０は選択された入金パターンの１回目の金額を保持する（Ｓ１３）。そして、振込み実施部１６から１回目の振込みを行なう（Ｓ１１）。
【００５２】
なお、ステップＳ５で振込み先が同一銀行の本支店でなかった場合、ステップＳ６で振込み金額が３万円以上５９９９９円未満でなかった場合及びステップＳ１２でお勧め入金パターンが選択されなかった場合には、ステップＳ１１で通常の振込み操作を行なう（Ｓ１１）。
【００５３】
振込み取引が実行された後、最初に入力された金額が、３万円以上５９９９９円未満、かつ訂正ボタン４０又はお勧め入金パターンの選択ボタン４２が押下済みであるかどうかチェックする（Ｓ１４）。最初に入力された金額が３万円以上５９９９９円未満、かつ訂正ボタン４０又はお勧め入金パターンが押下済みである場合には、ＣＰＵ２０は２回目の振込み完了したかどうかをチェックする（Ｓ１５）。２回目の振込みが完了していない場合には、ステップＳ４に戻り２回目の振込みを行なう。
【００５４】
ステップＳ１５において、振込みが完了している場合には、レシート発行プリンタ３３から伝票印字発行を行なう（Ｓ１６）。ステップＳ１４において、最初に入金された金額が３万円以上５９９９９円未満、かつ訂正ボタン４０が押下され、又はお勧め入金パターンが押下済みでない場合にも、レシート発行プリンタ３３から伝票印字発行を行なう（Ｓ１６）。
【００５５】
この実施の形態例によれば、振込み金額を自動的に決定して振込みを行なうことができる。
【００５６】
図１２，図１３は本発明の第５の動作の一例を示すフローチャートである。この実施の形態例は、現金で振り込む場合の動作を示している。先ず、ＡＴＭ端末の顧客操作画面２９には、メニューモードが表示されている。このメニューモードから利用者がタッチパネル３０の「振込み」ボタンをタッチして「振込み」を選択する（Ｓ１）。次に、利用者はタッチパネル３０から「現金振込み」を選択する（Ｓ２）。
【００５７】
次に、利用者はタッチパネル３０から振込み先情報を入力する（Ｓ３）。次に、利用者はタッチパネル３０から振込み金額を入力する（Ｓ４）。この場合において、既にお勧めパターンを選択しているときは、もう一方のパターンを表示し確認させる。宛先判断部１１は、振込み先が同一銀行の本支店であるかどうかをチェックする（Ｓ５）。振込み先が同一銀行の本支店であった場合、ＣＰＵ２０は振込み金額が３万円以上５９９９９円未満であるかどうかチェックする（Ｓ６）。
【００５８】
振込み金額が３万円以上５９９９９円未満であった場合には、ＣＰＵ２０は、お勧め入金パターンを計算する（Ｓ７）。具体的には、入金金額が５８０００円以下なら入金金額を２で割り、１００円単位の端数を切り上げる。そして、入金金額から前記の値を引く。このようにして、振込み金額が自動的に決定される。
【００５９】
次に、顧客誘導部１３は顧客操作画面２９に「お客様のお振込み金額は、ＸＸＸＸＸ円です。３万円以上の振り込み手数料は３１５円となります。振込み金額が３万円以上５９９９９円未満の場合は、１回のお振り込み金額を３万円未満とし、２回に分けて振込みすると、手数料の合計が２１０円となります」とのガイダンスを表示すると共に、前記ステップＳ７で計算したお勧め入金パターンを顧客操作画面２９に表示する（Ｓ８）。
【００６０】
この時のガイダンス表示例は図１１に示すようなものとなる。ステップＳ８で示した表示に加えて、お勧め入金パターンが示される。お勧め入金パターンは、１回目がＸＸＸＸＸ円、２回目がＹＹＹＹＹ円である。このお勧め入金パターンの横に選択ボタン４２が示されている。その下に「お勧め入金パターンに金額を訂正される場合は［選択］を押してください。」という表示がなされる。
【００６１】
次に、顧客選択判断部１４は訂正ボタン４０が押されたかどうかをチェックする（Ｓ９）。訂正ボタン４０が押された場合、振込み方法変更部１５は金額訂正画面を表示し、金額を入力し、その金額を保持する（Ｓ１０）。ステップＳ９において、訂正ボタン４０が押されなかった場合、顧客選択判断部１４は、お勧め入金パターンが選択されたかどうかをチェックする（Ｓ１１）。お勧め入金パターンが選択された場合、ＣＰＵ２０は選択された入金パターンの１回目の金額を保持する（Ｓ１２）。
【００６２】
次に、この実施の形態例では、現金による振込みであり、依頼人に関する情報は予め入力できないので、利用者はタッチパネル３０から依頼人情報を入力する（Ｓ１３）。なお、ステップＳ５において、振込先が同一銀行の本支店でない場合、ステップＳ６において、振込み金額が３万円以上５９９９９未満でなかった場合及びステップＳ１２において、お勧め入金パターンが選択されていない場合には、通常の手続きに従って依頼人情報を入力する（Ｓ１３）。
【００６３】
次に、利用者は現金を現金投入排出口２５に投入し、鑑別計数部２６により紙幣を計数し、振込み金額判断部１２により計数処理を行なう（Ｓ１４）。現金が予め入力された振込み金額又はそれ以上セットされた場合、振込み実施部１６は振込み取引を実行する（Ｓ１５）。振込み時に、精算額が利用者に戻されると、振込みは終了し、レシート発行プリンタ３３で伝票印字発行を行なう（Ｓ１６）。振り込まれたお金は金庫２７に格納される。
【００６４】
振込み取引が実行された後、最初に入力された金額が、３万円以上５９９９９円未満、かつ訂正ボタン４０又はお勧め入金パターンが押下済みであるかどうかチェックする（Ｓ１７）。最初に入力された金額が３万円以上５９９９９円未満、かつ訂正ボタン４０又はお勧め入金パターンが押下済みである場合には、ＣＰＵ２０は２回目の振込み完了したかどうかをチェックする（Ｓ１８）。２回目の振込みが完了していない場合には、ステップＳ４に戻り２回目の振込みを行なう。
【００６５】
ステップＳ１７において、最初に入金された金額が３万円以上５９９９９円未満、かつ訂正ボタン４０が押下されず、又はお勧め入金パターンが押下済みでない場合、又はステップＳ１８において２回目の振込みが完了した場合には処理を終了する。
【００６６】
この実施の形態例によれば、現金振込みの場合にも振込み金額を自動的に決定して振込みを行なうことが可能となる。
【００６７】
なお、上述した各シーケンスをソフトウェアとして記憶しておき、コンピュータで実行させることができる。このようにすれば、利用者の経済的負担を軽減することができ、銀行側にとっても利益となるプログラムを提供することができる。
【００６８】
また、上述の実施の形態例では、振込み回数が２回の場合を例にとって説明したが、本発明は２回に限るものではなく、３回以上の振込みであってもよい。
【００６９】
（付記１）  振込みが選択され、振込み先と振込み金額が入力されると（ステップ１）、
振込み先が同一の銀行の本支店であるかどうかチェックし（ステップ２）、
振込み先が同一の銀行の本支店である場合には、振込み金額が所定の金額以上であるかどうかチェックし（ステップ３）、
振込み金額が所定の金額以上である場合には、複数回の振込みが１回の振込みよりも有利であることを表示する（ステップ４）
ことを特徴とする金額振込方法。
【００７０】
（付記２）  振込みが選択され、振込み先と振込み金額が入力されるステップと、
振込み先が同一の銀行の本支店であるかどうかチェックするステップと、
振込み先が同一の銀行の本支店である場合には、振込み金額が所定の金額以上であるかどうかチェックするステップと、
振込み金額が所定の金額以上である場合には、複数回の振込みが１回の振込みよりも有利であることを表示するステップと、
をコンピュータで実行することを特徴とする金額振込プログラム。
【００７１】
（付記３）  振込み金額が複数回に分けて振り込んだ方が有利な金額の場合、複数回に分けて振り込むことをガイダンス表示し、訂正後の振込み金額が正当かどうかチェックすることを特徴とする付記１記載の金額振込方法。
【００７２】
（付記４）  振込み金額が複数回に分けて振り込んだ方が有利な金額の場合、複数回に分けて振り込むことをガイダンス表示すると同時に、お勧めの振込み方法を表示することを特徴とする付記１記載の金額振込方法。
【００７３】
（付記５）  振込み金額が複数回に分けて振り込んだ方が有利な金額の場合、複数回に分けて振り込むことをガイダンス表示すると同時に、お勧めの振込み方法を表示し、お勧めの振込み方法で振り込むことを選択した場合には、その振込み方法で自動的に金額が決定され、振込みが行なわれることを特徴とする付記１記載の金額振込方法。
【００７４】
（付記６）  現金振込みでかつ金額が複数回に分けて振り込んだ方が有利な金額なら、複数回に分けて振り込むことをガイダンス表示すると同時に、お勧めの振込み方法を表示し、お勧めの振込み方法で振り込むことを選択した場合には、その振込み方法で自動的に金額が決定され、振込みが行なわれることを特徴とする付記１記載の金額振込方法。
【００７５】
【発明の効果】
以上説明したように、本発明によれば、以下の効果が得られる。
（１）請求項１記載の発明によれば、利用者の経済的負担を軽減することができ、銀行側にとっても利益となる。
（２）請求項２記載の発明によれば、利用者の経済的負担を軽減することができ、銀行側にとっても利益となるプログラムを提供することができる。
（３）請求項３記載の発明によれば、複数回に分けて振り込む時の振込み金額が正当かどうかをチェックすることができる。
【００７６】
このように、本発明によれば利用者への経済的負担を軽減すると共に、銀行側にとっても利益となる金額振込方法及び金額振込プログラムを提供することができる。
【図面の簡単な説明】
【図１】本発明方法の原理を示すフローチャートである。
【図２】本発明方法を実行するハードウェア構成例を示すブロック図である。
【図３】本発明の第１の動作の一例を示すフローチャートである。
【図４】本発明の第１のガイダンス画面例を示す図である。
【図５】本発明の第２の動作の一例を示すフローチャートである。
【図６】本発明の第２の動作の一例を示すフローチャートである。
【図７】本発明の第３の動作の一例を示すフローチャートである。
【図８】本発明の第２のガイダンス画面例を示す図である。
【図９】本発明の第４の動作の一例を示すフローチャートである。
【図１０】本発明の第４の動作の一例を示すフローチャートである。
【図１１】本発明の第３のガイダンス画面例を示す図である。
【図１２】本発明の第５の動作の一例を示すフローチャートである。
【図１３】本発明の第５の動作の一例を示すフローチャートである。
【図１４】銀行の手数料一覧を示す図である。
【符号の説明】
１    バス
１０  振込み処理部
１１  宛先制御部
１２  振込み金額判定部
１３  顧客誘導部
１４  顧客選択判断部
１５  振込み方法変更部
１６  振込み実施部
２０  ＣＰＵ
２１  カードリーダ
２２  カードリーダ制御部
２３  通帳プリンタ
２４  通帳プリンタ制御部
２５  現金投入排出口
２６  識別計数部
２７  金庫
２８  入出金制御部
２９  顧客操作画面
３０  タッチパネル
３１  操作制御部
３２  記憶部
３３  レシート発行プリンタ
３４  レシート発行部
【図１】
2004362351.tif 000003
【図２】
2004362351.tif 000004
【図３】
2004362351.tif 000005
【図４】
2004362351.tif 000006
【図５】
2004362351.tif 000007
【図６】
2004362351.tif 000008
【図７】
2004362351.tif 000009
【図８】
2004362351.tif 000010
【図９】
2004362351.tif 000011
【図１０】
2004362351.tif 000012
【図１１】
2004362351.tif 000013
【図１２】
2004362351.tif 000014
【図１３】
2004362351.tif 000015
【図１４】
2004362351.tif 000016